(57)【特許請求の範囲】
【請求項１】
第１及び第２の映像信号による２つの画面を１つに合成して表示するか、
上記第１及び第２の映像信号のいずれかに含まれる文字放送信号及び上記第１または第２の映像信号による２つの画面を１つに合成して表示するか
を選択できる文字放送表示方法において、
上記２つの画面を１つに合成して表示する際のそれぞれの画面の大きさ及び配置を決める設定モードが設けられ、
上記選択により上記第１及び第２の映像信号による２つの画面を１つに合成して表示する際の第一の表示画面モードと、上記文字放送信号及び上記第１または第２の映像信号による２つの画面を１つに合成して表示する際の第二の表示画面モードとをそれぞれ独立に設定できる
ことを特徴とする文字放送表示方法。
【請求項２】
第１及び第２の映像信号による２つの画面を１つに合成して表示する手段と、
上記第１及び第２の映像信号のいずれかに含まれる文字放送信号及び上記第１または第２の映像信号による２つの画面を１つに合成して表示する手段とを有し、
これらを選択して利用する文字放送表示装置において、
上記２つの画面を１つに合成して表示する際のそれぞれの画面の大きさ及び配置を決める設定手段を更に有し、
上記設定手段は、上記選択により上記第１及び第２の映像信号による２つの画面を１つに合成して表示する際の第一の表示画面モードと、上記文字放送信号及び上記第１または第２の映像信号による２つの画面を１つに合成して表示する際の第二の表示画面モードとをそれぞれ独立に設定できる
ことを特徴とする文字放送表示装置。
【発明の詳細な説明】
【０００１】
【発明の属する技術分野】
本発明は、例えば１６：９のワイドアスペクトの表示画面を有する映像装置に適用される文字放送表示方法及び装置に関するものである。
【０００２】
【従来の技術】
映像装置において、例えば第１及び第２のチューナーを内蔵して、これらのチューナーで受信された第１及び第２の映像信号を１つに合成して表示することが行われている。またこのような映像装置において、受信された映像信号に含まれる文字放送信号を復調して、このような文字放送信号と第１または第２の映像信号を１つに合成して表示することが行われている。
【０００３】
その場合に、例えば従来の４：３のスタンダードアスペクトの表示画面を有する映像装置では、一方の映像信号を表示画面の全体に表示（親画面）し、その一部に他方の映像信号を縮小して表示（子画面）することが行われている。すなわちこのような４：３の表示画面を有する映像装置では、２つの映像信号を１つに合成する表示は、親子の２画面の表示に限られているものである。
【０００４】
これに対して例えば１６：９のワイドアスペクトの表示画面を有する映像装置が実施されている。このような１６：９の表示画面を有する映像装置では、上述の親子の２画面の表示の他に、表示画面を左右に２分割するなど多様な表示画面モードが実現されている。
【０００５】
そこでこのような１６：９の表示画面を有する映像装置では、使用者が予め希望の１つの表示画面モードを選択して、装置に設定しておくことが行われている。これによれば、使用者は所望時に１画面から２画面への切り換えを指示するだけで、予め設定された表示画面モードでの２画面の表示を得ることができる。
【０００６】
ところが上述のように第１及び第２の映像信号を１つに合成して表示する場合と、文字放送信号と映像信号を１つに合成して表示する場合とでは、使用者が希望する表示画面モードが異なる場合がある。しかしながら従来の装置では、このようなそれぞれの場合に異なる表示画面モードを予め設定しておくことはできないものであった。
【０００７】
【発明が解決しようとする課題】
この出願はこのような点に鑑みて成されたものであって、解決しようとする問題点は、従来の装置では、第１及び第２の映像信号を１つに合成して表示する場合と、文字放送信号と映像信号を１つに合成して表示する場合とで、異なる表示画面モードを予め設定しておくことができないというものである。
【０００８】
【課題を解決するための手段】
このため本発明においては、第１及び第２の映像信号を１つに合成して表示する際の表示画面モードと、文字放送信号と映像信号を１つに合成して表示する際の表示画面モードとを独立に記憶するものであって、これによれば、常に使用者が希望する表示画面モードを得ることができる。
【０００９】
【発明の実施の形態】
すなわち本発明においては、第１及び第２の映像信号による２つの画面を１つに合成して表示するか、第１及び第２の映像信号のいずれかに含まれる文字放送信号及び第１または第２の映像信号による２つの画面を１つに合成して表示するかを選択できる文字放送表示方法において、２つの画面を合成して表示する際のそれぞれの画面の大きさ及び配置を決める設定モードが設けられ、選択により第１及び第２の映像信号による２つの画面を１つに合成して表示する際の第一の表示画面モードと、文字放送信号及び第１または第２の映像信号による２つの画面を１つに合成して表示する際の第二の表示画面モードとをそれぞれ独立に設定できるものである。
【００１０】
以下、図面を参照して本発明を説明するに、図１は本発明による文字放送表示方法及び装置を適用した装置の一例の構成を示すブロック図である。
【００１１】
この図１において第１のチューナー１及び第２のチューナー２が設けられる。これらのチューナー１、２には、アンテナ３で受信された信号が供給されて、それぞれ後述する制御信号に従って第１及び第２のチャンネルが受信される。そしてこれらのチューナー１、２で受信された各チャンネルの映像信号（Ｖ）及び音声信号（Ａ）がそれぞれスイッチ手段４に供給される。
【００１２】
このスイッチ手段４では、上述の第１のチューナー１からの信号と外部端子（ＡＵＸ）４１からの信号が切り換えスイッチ４２で選択される。また第２のチューナー２からの信号と後述する文字信号が切り換えスイッチ４３で選択され、さらにこの選択された信号と外部端子（ＡＵＸ）４１からの信号が切り換えスイッチ４４で選択される。そしてこれらの切り換えスイッチ４２、４４で選択された映像信号が出力端子４５（ａ、ｂ）に取り出される。
【００１３】
また切り換えスイッチ４２、４４で選択された音声信号はさらにスイッチ４６に供給される。このスイッチ４６では、それぞれ後述する制御信号に従って、２つの音声信号がそのまま、あるいは相互に入れ替えられて２つの出力に取り出されるか、切り換えスイッチ４２からの音声信号が２つの出力に共通に取り出される。そしてこのスイッチ４６からの一方の音声信号がスイッチ４７を通じて出力端子４８ａに取り出され、他方の音声信号は出力端子４８ｂに取り出される。
【００１４】
さらにこのスイッチ手段４の出力端子４５（ａ、ｂ）に取り出される映像信号が２画面処理回路５に供給される。これによってこの２画面処理回路５では、後述する各種の表示画面モードの指定に応じて２つの映像信号が合成され、合成された２画面の映像信号が形成される。そしてこの形成された映像信号が混合回路（ＭＩＸ）６を通じて表示管（ＣＲＴ）７に供給される。
【００１５】
また、スイッチ手段４の出力端子４８ａに取り出される音声信号は、音量調整等を行う音声処理回路８を通じてスピーカー９に供給される。さらにスイッチ手段４の出力端子４８ｂに取り出される音声信号は、音量調整等を行う音声処理回路１０を通じてヘッドホン端子１１に取り出され、この端子１１を通じてヘッドホン１２に供給される。
【００１６】
さらにスイッチ手段４の出力端子４５ａに取り出される映像信号と、上述の第２のチューナー２からの映像信号が、スイッチ１３で選択されて文字復調回路１４に供給される。そしてこの文字復調回路１４で復調された映像信号がスイッチ１５を通じて混合回路６に供給されると共に、文字復調回路１４で復調された映像信号と音声信号が上述の切り換えスイッチ４３に供給される。
【００１７】
そしてこの装置において、制御用のマイクロコンピュータ（μ−ｃｏｍ）１６が設けられる。このマイクロコンピュータ１６には任意のキーボード１７及び遠隔操作受信機１８からの制御信号が供給され、これらの信号に応じて各部の制御が行われる。さらにこのマイクロコンピュータ１６による制御の設定情報等が不揮発メモリ１９に記憶される。
【００１８】
またこのマイクロコンピュータ１６からの信号が第１のチューナー１に供給されて所望のチャンネルの設定が行われる。さらに上述の文字復調回路１４もマイクロコンピュータで構成される。そしてこの文字復調回路１４からの信号が第２のチューナー２に供給されて所望のチャンネルの設定が行われる。なおこの文字復調回路１４はマイクロコンピュータ１６によって支配される。
【００１９】
さらにこのマイクロコンピュータ１６で形成された映像信号がスイッチ１５に供給される。また上述のヘッドホン端子１１にヘッドホン１２が接続されたことを示す信号がマイクロコンピュータ１６に供給される。そしてこの信号に応じたマイクロコンピュータ１６からの信号によって、上述のスイッチ４７のオンオフが制御される。
【００２０】
そこでこの装置において、例えば第１及び第２の映像信号による２画面の表示を行う場合には、例えば遠隔操作を用いて以下のようにして行われる。すなわち図２は遠隔操作の送信機を示す。この図２において、Ａは通常装置の表面に現れる操作部を示し、Ｂは例えば蓋の下に隠された操作部を示している。
【００２１】
そしてこの図２のＢに示される操作部の内で、メニューキー２１が操作されると、例えばマイクロコンピュータ１６でメニューモードが起動される。これによってこのマイクロコンピュータ１６で例えば図３のＡに示すような映像信号が形成され、この映像信号がスイッチ１５を通じて混合回路６に供給され、２画面処理回路５からの映像信号に重畳されて表示管（ＣＲＴ）７に表示される。
【００２２】
すなわち図３のＡにおいて「メニュー  終了」「画質／音質」「二画面」「文字」「画面モード」「タイマー」等のメニューが表示される。さらにこの画面の状態で、図２のＢに示される操作部の内で、「＋」「−」の選択キー２２が操作されるとメニューが選択される。そして例えば「二画面」が選択された状態で決定キー２３が操作されると、表示は図３のＢに示すように変化される。
【００２３】
さらにこの図３のＢにおいては、「二画面  戻る」「二画面：」「入力切換」「子画面位置：」「二画面音声：」「ヘッドホン音量：」等のメニューが表示される。なおヘッドホンは図示のような記号で表現される。そしてこの画面の状態で「二画面」が選択されて決定キー２３が操作されると、例えば「フル」「ツイン１」「ツイン２」「親子」「ノーマル」の各表示画面モードの表示が、「二画面」の表示「：」の右側に順次表示される。
【００２４】
これによって各表示画面モードでは、例えば図４のＡ〜Ｅに示すように、「フル」ではＡのように１つの映像信号が全面に表示され、「ツイン１」ではＢのように２つの映像信号が左右に表示され、「ツイン２」ではＣのように２つの映像信号が４：３のアスペクトを維持して左右に表示され、「親子」ではＤのように２つの映像信号の一方が全面、他方が縮小して表示され、「ノーマル」ではＥのように１つの映像信号が４：３のアスペクトを維持して表示される。
【００２５】
すなわち上述の各操作によって、上述のようにマイクロコンピュータ１６で形成された映像信号が、スイッチ１５を通じて表示管（ＣＲＴ）７に供給されて表示される。それと共に、例えば「二画面」の表示「：」の右側に表示される表示画面モードに応じた制御信号がマイクロコンピュータ１６から２画面処理回路５に供給されて、表示画面モードの指定に応じた２つの映像信号の合成が行われる。さらにこの設定された表示画面モードが不揮発メモリ１９に記憶される。
【００２６】
これに対して例えば文字放送信号と映像信号による２画面の表示を行う場合には、図３のＡの画面の状態で選択キー２２の操作によって「文字」が選択され、この状態で決定キー２３が操作される。これによって表示は図３のＣに示すように変化される。
【００２７】
そしてこの図３のＣにおいては、「文字  戻る」「文字画面選択：」「字幕放送：」「クローズドキャプション：」「キャプション位置：」「文字メモリー設定」等のメニューが表示される。さらにこの画面の状態で「文字画面選択」が選択されて決定キー２３が操作されると、例えば「ツイン１」「ツイン２」「親子」「フル」「ノーマル」の各表示画面モードの表示が、「文字画面選択」の表示「：」の右側に順次表示される。なお各表示画面モードは、上述の図４のＡ〜Ｅと同様である。
【００２８】
そしてこの操作によって、文字放送信号と映像信号による２画面の表示を行う場合には、「文字画面選択」の表示「：」の右側に表示される表示画面モードに応じた制御信号がマイクロコンピュータ１６から２画面処理回路５に供給されて、表示画面モードの指定に応じた２つの映像信号の合成が行われる。さらにこの設定された表示画面モードが不揮発メモリ１９に記憶される。
【００２９】
すなわち第１及び第２の映像信号による２画面の表示では、図５のＡのフローチャートにおいて、ステップ〔１〕で文字表示の画面が解除されると、ステップ〔２〕で第１及び第２の映像信号による２画面の画面表示モードに応じて不揮発メモリ１９から設定された値が読み出され、各デバイスに供給される。さらにステップ〔３〕で１画面か２画面かによって画面表示モードのデータをセットし、２画面処理回路５のデバイスに転送して処理を終了する。
【００３０】
これに対して、文字放送信号と映像信号による２画面の表示では、図５のＢのフローチャートにおいて、ステップ〔４〕では予め文字表示の表示画面モードが選択されている。
【００３１】
これによってステップ〔５〕で文字放送信号の表示が選択されると、ステップ〔６〕で文字放送信号と映像信号による２画面の画面表示モードに応じて不揮発メモリ１９から設定された値が読み出され、各デバイスに供給される。さらにステップ〔７〕で１画面か２画面かによって画面表示モードのデータをセットし、２画面処理回路５のデバイスに転送して処理を終了する。
【００３２】
すなわち、例えば図２のＡに示される操作部の内の「二画面」の操作キー２４が操作された場合には、第１及び第２の映像信号による２画面の表示では、その表示画面モードに応じた設定値が不揮発メモリ１９から読み出され、この設定値に応じた制御信号がマイクロコンピュータ１６から２画面処理回路５に供給されて、表示画面モードの指定に応じた２つの映像信号の合成が行われる。
【００３３】
そしてさらに図２のＡに示される操作部の内の、例えば「文字」の操作キー２５が操作されると、文字放送信号と映像信号による２画面の表示の表示画面モードに応じた設定値が不揮発メモリ１９から読み出され、この設定値に応じた制御信号がマイクロコンピュータ１６から２画面処理回路５に供給されて、表示画面モードの指定に応じた文字放送信号と映像信号の合成が行われる。
【００３４】
従ってこの装置において、第１及び第２の映像信号を１つに合成して表示する際の表示画面モードと、文字放送信号と第１または第２の映像信号を１つに合成して表示する際の表示画面モードとを独立に設定することができる。
【００３５】
これによって、第１及び第２の映像信号を１つに合成して表示する場合と、文字放送信号と映像信号を１つに合成して表示する場合とで、使用者が希望する表示画面モードが異なる場合にも、本発明によれば、それぞれの表示画面モードを独立に設定することができる。
【００３６】
こうして上述の文字放送表示方法及び装置によれば、第１及び第２の映像信号による２つの画面を１つに合成して表示するか、第１及び第２の映像信号のいずれかに含まれる文字放送信号及び第１または第２の映像信号による２つの画面を１つに合成して表示するかを選択できる場合に、２つの画面を合成して表示する際のそれぞれの画面の大きさ及び配置を決める設定モードが設けられ、選択により第１及び第２の映像信号による２つの画面を１つに合成して表示する際の第一の表示画面モードと、文字放送信号及び第１または第２の映像信号による２つの画面を１つに合成して表示する際の第二の表示画面モードとをそれぞれ独立に設定することにより、常に使用者が希望する表示画面モードを得ることができるものである。
【００３７】
なお本発明による文字放送表示方法及び装置は、上述の実施例に示された構成に限定されるものではなく、本発明の精神を逸脱しない範囲で種々の構成を取り得るものである。
【００３８】
【発明の効果】
この発明によれば、第１及び第２の映像信号を１つに合成して表示する際の表示画面モードと、文字放送信号と第１または第２の映像信号を１つに合成して表示する際の表示画面モードとを独立に設定することができるようになった。
【００３９】
これによって、第１及び第２の映像信号を１つに合成して表示する場合と、文字放送信号と映像信号を１つに合成して表示する場合とで、使用者が希望する表示画面モードが異なる場合にも、本発明によれば、それぞれの表示画面モードを独立に設定することができるものである。
【図面の簡単な説明】
【図１】本発明の適用される音声映像装置の一例の構成図である。
【図２】その遠隔操作送信機の一例の構成図である。
【図３】本発明による装置の動作の説明のための図である。
【図４】本発明による装置の動作の説明のための図である。
【図５】本発明による装置の動作の説明のための図である。
【符号の説明】
１  第１のチューナー
２  第２のチューナー
３  アンテナ
４  スイッチ手段
４１  外部端子
４２、４３、４４  切り換えスイッチ
４５４８  出力端子
４６、４７  スイッチ
５  ２画面処理回路
６  混合回路（ＭＩＸ）
７  表示管（ＣＲＴ）
８、１０  音声処理回路
９  スピーカー
１１  ヘッドホン端子
１２  ヘッドホン
１３、１５  スイッチ
１４  文字復調回路
１６  制御用のマイクロコンピュータ（μ−ｃｏｍ）
１７  キーボード
１８  遠隔操作受信機
１９  不揮発メモリ
【図１】
0003617136.tif 000002
【図２】
0003617136.tif 000003
【図３】
0003617136.tif 000004
【図４】
0003617136.tif 000005
【図５】
0003617136.tif 000006